(57)【要約】【課題】接着部材を有する外観部品を相手部品に組み込む際に、相手部品に接着部材が付着する問題があった。【解決手段】第一、第二の位置決め突起と第一、第二の持ち上げ突起を含む複数の突起部を有する第一の部材と、第一の部材と対向して設けられ、第一の位置決め突起に嵌合する第一の嵌合部と、第二の位置決め突起と略円周方向で嵌合する第二の嵌合部と、第一、第二の持ち上げ突起より大きな複数の穴部を有する第二の部材と、第一の部材と第二の部材との間に配置され、接着固定するための接着部材と、を有するレンズ鏡筒において、第一、第二の位置決め突起を結んだ直線Ｓで分けられる二つの領域において、第一、第二の持ち上げ突起はそれぞれ別々の領域に設けられ、直線Ｓの長さをＬとしたとき、持ち上げ突起は直進Ｓの中点から２Ｌ／３の範囲に配置され、突起部の延伸方向において、突起部の長さＡと接着部材の厚さＢとの関係がＡ＞Ｂであること。【選択図】  図１
2016018173.tif 000002
【特許請求の範囲】
【請求項１】
第一、第二の位置決め突起と第一、第二の持ち上げ突起を含む複数の突起部を有する第一の部材と、
前記第一の部材と対向して設けられ、
前記第一の位置決め突起に嵌合する第一の嵌合部と、
前記第二の位置決め突起と円周方向で嵌合する第二の嵌合部と、
前記第一、第二の持ち上げ突起より大きな複数の穴部を有する第二の部材と、
前記第一の部材と前記第二の部材との間に配置され、接着固定するための接着部材と、
を有するレンズ鏡筒において、  
前記第一、第二の位置決め突起を結んだ直線Ｓで分けられる二つの領域において、
前記第一、第二の持ち上げ突起はそれぞれ別々の領域に設けられ、
前記直線Ｓの長さをＬとしたとき、
前記持ち上げ突起は前記直進Ｓの中点から２Ｌ／３の範囲に配置され、
前記突起部の延伸方向において、
前記突起部の長さＡと接着部材の厚さＢとの関係が
Ａ＞Ｂ
であることを特徴とする部品の結合構造。
【請求項２】
複数の突起部は第一の部材の軸中心に点対象に配置されていないことを特徴とする請求項１に記載の部品の結合構造。
【請求項３】
複数の突起部の内、少なくとも１つの位置決め突起、もしくは持ち上げ突起が、その他の複数の突起部で形成される円上に設けられていないことを特徴とする請求項１に記載の部品の結合構造。
【請求項４】
複数の突起部の長さＡは全て同一の長さであることを特徴とする請求項１乃至請求項３の何れか一項に記載の部品の結合構造。
【請求項５】
第二の嵌合部は、第一、第二の位置決め突起を結んだ直線方向に伸びた長穴であることを特徴とする請求項１乃至請求項４の何れか一項に記載の部品の結合構造。
【請求項６】
レンズを保持するレンズ保持部材を有し、第二の部材に固定されることを特徴とする請求項１乃至請求項５の何れか一項に記載の部品の結合構造を有するレンズ鏡筒。
【発明の詳細な説明】
【技術分野】
【０００１】
本発明は、外装部品を備えた部品の結合構造、及びレンズ鏡筒に関して有効な技術であり、特に組立性の向上に関する。
【背景技術】
【０００２】
従来のレンズ鏡筒において、レンズ鏡筒の先端部に化粧環などと呼ばれるリング状の外観部品が設けられているものがある。
【０００３】
化粧環は、固定用のビス穴やカシメ爪を隠し、外観の品位を向上させる外観上の役目や、光を通すための開口部が設けられ、撮影に不要な光の侵入を防ぐ遮光の役目などを担っている。
【０００４】
また、化粧環に製品のスペック等の印刷箇所がある場合は位相を決めて相手部品に組み込む必要があるため、相手部品との位置決めが必要となる。
【０００５】
特許文献１ではレンズを保護するためのバリア部材や、防塵用の部材の前面に鏡筒カバーが設けられ、該鏡筒カバーに化粧環を接着部材で固定し、外観の品位を向上させる構成をとっている。
【０００６】
特許文献２では化粧環内径と相手部品の外径で嵌合させ、さらに化粧環から設けられたピンを相手部品に圧入することで正確に位置決め、組み込みが可能な構成になっている。
【先行技術文献】
【特許文献】
【０００７】
【特許文献１】特許第４７４８６５８号明細書
【特許文献２】特開平５−２６３８１４号公報
【発明の概要】
【発明が解決しようとする課題】
【０００８】
しかしながら、化粧環を両面テープなどの接着部材で相手部品に組み込みを行う場合に従来の構成では、組み込み時に化粧環が相手部品に対して倒れ、接着部材が相手部品に組み込み位相以外の箇所で付着する可能性がある。
【０００９】
特許文献１では化粧環の組み込み性に関しては言及されておらず、特許文献２の構成は化粧環の内径が光線を遮光する役割を担っている場合は、適用できない。
【００１０】
本発明は、このような問題点に鑑みてなされたものであって、接着部材で相手部品に組み込む外観部品の組立性の向上を図った部品の結合構造、及びレンズ鏡筒を提供することを目的とする。
【課題を解決するための手段】
【００１１】
上記目的を達成するために、本発明の部品の結合構造は、第一、第二の位置決め突起と第一、第二の持ち上げ突起を含み、構成される複数の突起部を有する第一の部材と、前記第一の部材と対向して設けられ、前記第一の位置決め突起に嵌合する第一の嵌合部と、前記第二の位置決め突起と略円周方向で嵌合する第二の嵌合部と、前記第一、第二の持ち上げ突起より大きな複数の穴部を有する第二の部材と、前記第一の部材と前記第二の部材との間に配置され、接着固定するための接着部材と、を有するレンズ鏡筒において、前記第一、第二の位置決め突起を結んだ直線Ｓで分けられる二つの領域において、前記第一、第二の持ち上げ突起はそれぞれ別々の領域に設けられ、前記直線Ｓの長さをＬとしたとき、  前記持ち上げ突起は前記直進Ｓの中点から２Ｌ／３の範囲に配置され、前記突起の延伸方向において、前記突起の長さＡと接着部材の厚さＢとの関係がＡ＞Ｂを満たし、第一の部材を第二の部材に組み込むことを特徴とするものである。
【発明の効果】
【００１２】
本発明によれば、第一、第二の位置決め突起と第一、第二の持ち上げ突起を含み、構成される複数の突起部を有する第一の部材と、前記第一の部材と対向して設けられ、前記第一の位置決め突起に嵌合する第一の嵌合部と、前記第二の位置決め突起と略円周方向で嵌合する第二の嵌合部と、前記第一、第二の持ち上げ突起より大きな複数の穴部を有する第二の部材と、前記第一の部材と前記第二の部材との間に配置され、接着固定するための接着部材と、を有するレンズ鏡筒において、前記第一、第二の位置決め突起を結んだ直線Ｓで分けられる二つの領域において、前記第一、第二の持ち上げ突起はそれぞれ別々の領域に設けられ、前記直線Ｓの長さをＬとしたとき、前記持ち上げ突起は前記直進Ｓの中点から２Ｌ／３の範囲に配置され、前記突起の延伸方向において、前記突起の長さＡと接着部材の厚さＢとの関係がＡ＞Ｂを満たし、第一の部材を第二の部材に組み込むことを特徴とする部品の結合構造とすることで、第一の部材が第二の部材に対して倒れにくくなるため、組立性が向上する。
【図面の簡単な説明】
【００１３】
【図１】実施例１における化粧環の説明図
【図２】実施例１におけるレンズ鏡筒の全体構成図
【図３】実施例１におけるレンズ鏡筒の断面図と拡大図
【図４】実施例１におけるフィルター枠の説明図
【図５】実施例１における直線Ｓで分けられる領域と複数の突起部の配置に関する説明図
【図６】実施例１における化粧環の重心Ｇと複数の突起部の配置に関する説明図
【図７】実施例２における化粧環の説明図
【図８】実施例２におけるレンズ鏡筒の断面図と拡大図
【発明を実施するための形態】
【００１４】
以下に、本発明の好ましい実施の形態を、添付の図面に基づいて詳細に説明する。
【００１５】
［実施例１］
まず、図１、図２を参照して、本発明のレンズ鏡筒の構成の説明を行う。図１は実施例１における化粧環の説明図、図２は実施例１におけるレンズ鏡筒１の全体構成を表す図である。
【００１６】
レンズ鏡筒１には、レンズ保持枠１０１、フィルター枠２０１（第二の部材）、化粧環３０１（第一の部材）、両面テープ４０１（接着部材）が含まれている。レンズ保持枠１０１はレンズ１０２、１０２、１０３を不図示の嵌合部で嵌合させ、熱カシメによって形成されるカシメ爪１０１ａによってレンズを保持している。また、フィルター枠に対して位置決め用の嵌合突起１０１ｂが光軸ｘ方向に沿って２つ設けられている。
【００１７】
フィルター枠２０１にはレンズ保持枠１０１の嵌合突起１０１ｂに対して嵌合する嵌合部２０１ｅ、長穴２０１ｆと、レンズ保持枠１０１をフィルター枠２０１に固定するビス２０２を通すビス穴２０１ｇが設けられている。さらに、フィルター枠２０１は、後述の化粧環の位置決め突起と嵌合する嵌合部２０１ａ、２０１ｂと化粧環３０１の持ち上げ突起に対して複数の穴部２０１ｃ、２０１ｄが設けられている。レンズ保持枠１０１に設けられた嵌合突起１０１ｄ、１０１ｅがフィルター枠２０１の嵌合部２０１ｅ、２０１ｆに挿入されることで２部品間の位置決めを行い、組み込み後ビス２０２で固定される。
【００１８】
化粧環３０１はレンズ保持枠１０１のビス止め部や、レンズ保持枠のカシメ爪１０１ａを隠すようにフィルター枠２０１の前側に配置されている。組み込み前に化粧環３０１に固定用の両面テープ４０１が貼付けられ、化粧環３０１をフィルター枠２０１に組み込んだ際に両面テープ４０１で接着固定される。
【００１９】
次に本特許の特徴である化粧環３０１の形状と、周辺の部品との関係について図２から図６を用いて説明する。
【００２０】
図３は実施例１におけるレンズ鏡筒の断面図、図４は実施例１におけるフィルター枠の説明図、図５は実施例１における直線Ｓで分けられる領域と複数の突起部の配置に関する説明図、図６は実施例１における化粧環の重心Ｇと複数の突起部の配置に関する説明図である。化粧環３０１には位置決め突起３０１ａ、３０１ｂと持ち上げ突起３０１ｃ、３０１ｄが設けられている。それぞれの突起部の先端には面取りが設けられており、面取りの斜面に沿って突起部がフィルター枠２０１の嵌合部に案内される。
【００２１】
持ち上げ突起は化粧環３０１をフィルター枠２０１に組み込む際の倒れ防止用に設けられており、二つの位置決め突起を結んだ直線Ｓで分けられる領域Ａ、領域Ｂにそれぞれ持ち上げ突起が配置されている。領域Ａ、領域Ｂにそれぞれ持ち上げ突起を配置することで、片側の領域に持ち上げ突起を配置するより効果的に化粧環３０１の倒れを防止することができる。さらに、位置決め突起、持ち上げ突起の先端を結んだ領域Ｃ内に化粧環３０１の重心Ｇを含めることでより倒れにくい構造になっている。
【００２２】
領域Ｃの面積は広い程、化粧環３０１はフィルター枠２０１に対して安定するため、角度方向に等分で配置した場合が最もバランスの良い構成となるが、４つの突起を同心円上に配置した場合は一意に部品の位置決めをすることができないため、軸中心Ｏを中心として、点対象に複数の突起部が配置されていない。また、直進Ｓの長さをＬとしたとき、持ち上げ突起は直進Ｓの長さＬの中点から２Ｌ／３の範囲に配置することで、複数の突起部を等分配置からずらした位置で配置しても、複数の突起部で化粧環３０１をバランス良く支えることができるため、フィルター枠２０１に対して自立可能になり、組み込み易くなる。
【００２３】
光軸ｘに沿った突起の延伸方向において、突起の長さＡと接着部材の厚さＢとの関係がＡ＞Ｂとなっている。そのため、化粧環３０１がフィルター枠２０１との位相が合う前にフィルター枠２０１に両面テープ４０１が付着することがなく、組み込みが容易になる。また、化粧環３０１に貼付けられた両面テープ４０１がフィルター枠２０１に接触するより先に、位置決め用の突起をフィルター枠２０１の嵌合部に嵌合させることで確実に位置決めをしたあとに、固定することができる。
【００２４】
また、突起の高さＡを位置決め突起、持ち上げ突起と共に同一高さとすることで、化粧環３０１を４つの突起で形成される面で支えることができるため化粧環３０１が倒れにくくなり、組立性を向上させることができる。位置決め突起３０１ａ、３０１ｂに対してフィルター枠２０１には嵌合部が設けられており、嵌合部２０１ａは丸穴、嵌合部２０１ｂは長穴になっている。
【００２５】
そのため、部品の製造誤差等により位置決め突起と嵌合部の相対位置が多少ずれていても誤差分を嵌合部２０１ｂの長穴で吸収し、問題なく組み込むことができる。また、持ち上げ突起に対してはフィルター枠２０１に持ち上げ突起より大きな複数の穴部が設けられている。
【００２６】
以上のように、本実施例では位置決め突起の他に、領域Ａ・Ｂそれぞれに持ち上げ突起を設け、直進Ｓの中点から２Ｌ／３の範囲に配置され、突起部の延伸方向において、前記突起部の長さＡと接着部材の厚さＢとの関係がＡ＞Ｂを満たしている。
【００２７】
そのため、化粧環の位置決め突起がフィルター枠の嵌合部に挿入されるまで両面テープがフィルター枠に付着することなく、組み込み時の化粧環の倒れを防止できるため、組立性を向上させることができる。また、本実施例では接着部材である両面テープを化粧環に張り付けてから組み込む構成としたが、フィルター枠に先に貼り付ける構成にしてもよい。さらに、本実施例では位置決め突起、持ち上げ突起を合わせて４本で構成したが、化粧環の重量が重い場合はさらに持ち上げ突起を増やした構成にしてもよい。
【００２８】
［実施例２］
次に実施例２のレンズ鏡筒２の内容を図７、図８を用いて説明する。図６は実施例２における化粧環の説明図であり、図７は実施例２におけるレンズ鏡筒２の断面図である。化粧環３１０、フィルター枠２１０以外の構成は実施例１と同様のため、説明は省略する。
【００２９】
実施例２では化粧環の角度方向の位相を決めるための位置決め突起と持ち上げ突起の配置が実施例１と異なっている。
【００３０】
本実施例では複数の突起部は角度方向に等分で配置されているが、位置決め突起３１０ａ、３１０ｂ、持ち上げ突起３１０ｃはφｄの円周上に配置されており、持ち上げ突起３１０ｄはφＤの円周上に配置されている。
【００３１】
さらに、位置決め突起、持ち上げ突起を角度方向に等分配置することが出来るため、化粧環３１０が倒れにくく、フィルター枠２１０への組立性を向上させつつ、組み込み位相を一意の位相に決めることができる。フィルター枠２１０の嵌合穴入口に導入の面取り２１１ａを設けることで、化粧環３１０の位置決め突起が嵌合穴に導入されやすくなり、より組立性を向上させることができる。
【００３２】
また、面取りの大きさは持ち上げ突起と複数の穴部とのクリアランスより大きくすることで、持ち上げ突起が穴部に引っ掛かることなく、確実に化粧環３１０をフィルター枠２１０に組み込むことができる。
【００３３】
以上のような構成をとることで、化粧環のフィルター枠への組立性を向上させつつ、組み込み位相を一意の位相に決めることができる。
【符号の説明】
【００３４】
ｘ  光軸、１０１  レンズ保持部材、１０２，１０３，１０４  レンズ、
２０１  フィルター枠（第二の部材）、３０１  化粧環（第一の部材）、
４０１  両面テープ（接着部材）、２０１ａ  嵌合部（第一の嵌合部）、
２０１ｂ  嵌合部（第二の嵌合部）、３０１ａ，３０１ｂ：位置決め突起、
３０１ｃ、３０１ｄ  持ち上げ突起
【図１】
2016018173.tif 000003
【図２】
2016018173.tif 000004
【図３】
2016018173.tif 000005
【図４】
2016018173.tif 000006
【図５】
2016018173.tif 000007
【図６】
2016018173.tif 000008
【図７】
2016018173.tif 000009
【図８】
2016018173.tif 000010